(57)【特許請求の範囲】
【請求項１】
サービスの利用開始時に通信装置と近接通信を行うことで得られる、前記通信装置を識別するための端末識別情報を取得する端末識別情報取得部と、
前記端末識別情報により識別される前記通信装置に対して、前記サービスと提携している提携店舗で利用可能となる電子クーポンを発行する電子クーポン発行部と、
前記端末識別情報と、前記提携店舗から得られる前記電子クーポンに関する情報と、前記サービスの料金を決定可能な情報とを関連付けることで、前記端末識別情報により識別される前記通信装置ごとに提供されるサービスの料金を管理する料金管理部と、
前記サービスの決済時に前記通信装置と近接通信を行うことで得られる前記端末識別情報に関連付けられた前記電子クーポンの前記提携店舗での利用状況に応じて、前記サービスの料金を決定する料金決定部と
を備える情報処理装置。
【請求項２】
各提携店舗に設置された端末装置から送信されてくる、通信装置による決済が行われた回数を示す情報を管理する回数管理部をさらに備え、
前記電子クーポン発行部は、前記回数管理部により管理されている情報に基づいて、前記提携店舗のうち、前記通信装置による決済が行われた回数の少ない店舗での利用が可能となる前記電子クーポンを発行する
請求項１に記載の情報処理装置。
【請求項３】
前記料金決定部は、前記提携店舗の使用履歴と、前記提携店舗における前記電子クーポンの使用履歴に基づいて、前記サービスの料金を決定する
請求項２に記載の情報処理装置。
【請求項４】
前記料金管理部は、前記通信装置からの要求に応じて、所定の単位時間ごとの前記サービスの料金に関する情報を提供する
請求項１に記載の情報処理装置。
【請求項５】
前記サービスは、前記通信装置を所持する利用者に対して、駐車場を提供するための駐車場サービスであり、
前記料金決定部は、前記利用者による前記駐車場の提携店舗での前記電子クーポンの利用状況に応じて、駐車料金を決定する
請求項４に記載の情報処理装置。
【請求項６】
情報処理装置が、
サービスの利用開始時に通信装置と近接通信を行うことで得られる、前記通信装置を識別するための端末識別情報を取得し、
前記端末識別情報により識別される前記通信装置に対して、前記サービスと提携している提携店舗で利用可能となる電子クーポンを発行し、
前記端末識別情報と、前記提携店舗から得られる前記電子クーポンに関する情報と、前記サービスの料金を決定可能な情報とを関連付けることで、前記端末識別情報により識別される前記通信装置ごとに提供されるサービスの料金を管理し、
前記サービスの決済時に前記通信装置と近接通信を行うことで得られる前記端末識別情報に関連付けられた前記電子クーポンの前記提携店舗での利用状況に応じて、前記サービスの料金を決定する
ステップを含む情報処理方法。
【請求項７】
サービスの利用開始時に通信装置と近接通信を行うことで得られる、前記通信装置を識別するための端末識別情報を取得する端末識別情報取得部と、
前記端末識別情報により識別される前記通信装置に対して、前記サービスと提携している提携店舗で利用可能となる電子クーポンを発行する電子クーポン発行部と、
前記端末識別情報と、前記提携店舗から得られる前記電子クーポンに関する情報と、前記サービスの料金を決定可能な情報とを関連付けることで、前記端末識別情報により識別される前記通信装置ごとに提供されるサービスの料金を管理する料金管理部と、
前記サービスの決済時に前記通信装置と近接通信を行うことで得られる前記端末識別情報に関連付けられた前記電子クーポンの前記提携店舗での利用状況に応じて、前記サービスの料金を決定する料金決定部と
して、コンピュータを機能させるためのプログラム。
【請求項８】
所定のサービスを提供する端末装置と、前記サービスの料金を管理する第１の情報処理装置と、電子クーポンを管理する第２の情報処理装置からなる情報処理システムにおいて、
前記端末装置は、
近接通信を行う通信装置を検出する通信装置検出部と、
前記通信装置が検出された場合、前記通信装置を識別するための端末識別情報を、前記第１の情報処理装置に通知する端末識別情報通知部と
を備え、
前記第１の情報処理装置は、
前記端末装置から通知される前記端末識別情報を取得する端末識別情報取得部と、
前記サービスの利用開始時に前記端末装置から通知される前記端末識別情報と、前記サービスと提携している提携店舗から得られる前記電子クーポンに関する情報と、前記サービスの料金を決定可能な情報とを関連付けることで、前記端末識別情報により識別される前記通信装置ごとに提供される前記サービスの料金を管理する料金管理部と、
前記サービスの決済時に前記通信装置と近接通信を行うことで得られる前記端末識別情報に関連付けられた前記電子クーポンの前記提携店舗での利用状況に応じて、前記サービスの料金を決定し、前記端末装置に通知する料金決定部と
を備え、
前記第２の情報処理装置は、
前記端末識別情報により識別される前記通信装置に対して、前記提携店舗で利用可能となる、前記通信装置に対する電子クーポンを発行する電子クーポン発行部を備える
情報処理システム。
【発明の詳細な説明】
【技術分野】
【０００１】
本技術は、情報処理装置及び方法、プログラム、並びに情報処理システムに関し、特に、電子クーポンを利用したサービスの質の向上を図ることができるようにした情報処理装置及び方法、プログラム、並びに情報処理システムに関する。
【背景技術】
【０００２】
近年、電子マネーを利用した決済システムが普及しており、電子マネーを利用して、各種のサービスに対する料金の決済を行うことができる。この種のサービスとしては、駐車料金を電子マネーで支払うに際し、店舗での利用代金に応じて駐車料金から割引を行うものが開示されている（例えば、特許文献１参照）。
【０００３】
また、電子クーポンと称される、例えば飲食店や小売店、美容院などのサービス提供会社により、インターネット上で提供されるクーポン券が普及している。この電子クーポンは、携帯端末装置に取り込まれ、店舗に設置された読み取り装置にかざされたり、あるいは画面に表示されたりすることで利用することができる。
【先行技術文献】
【特許文献】
【０００４】
【特許文献１】特開２０１０−２８６９２８号公報
【発明の概要】
【発明が解決しようとする課題】
【０００５】
しかしながら、従来の技術であると、サービスに対する料金の決済において、電子クーポンが有効に活用されていたとはいえず、電子クーポンを利用したサービスの質の向上が求められていた。
【０００６】
本技術はこのような状況に鑑みてなされたものであり、電子クーポンを利用したサービスの質の向上を図ることができるようにするものである。
【課題を解決するための手段】
【０００７】
本技術の一側面の情報処理装置は、サービスの利用開始時に通信装置と近接通信を行うことで得られる、前記通信装置を識別するための端末識別情報を取得する端末識別情報取得部と、前記端末識別情報により識別される前記通信装置に対して、前記サービスと提携している提携店舗で利用可能となる電子クーポンを発行する電子クーポン発行部と、前記端末識別情報と、前記提携店舗から得られる前記電子クーポンに関する情報と、前記サービスの料金を決定可能な情報とを関連付けることで、前記端末識別情報により識別される前記通信装置ごとに提供されるサービスの料金を管理する料金管理部と、前記サービスの決済時に前記通信装置と近接通信を行うことで得られる前記端末識別情報に関連付けられた前記電子クーポンの前記提携店舗での利用状況に応じて、前記サービスの料金を決定する料金決定部とを備える。
【０００８】
各提携店舗に設置された端末装置から送信されてくる、通信装置による決済が行われた回数を示す情報を管理する回数管理部をさらに備え、前記電子クーポン発行部は、前記回数管理部により管理されている情報に基づいて、前記提携店舗のうち、前記通信装置による決済が行われた回数の少ない店舗での利用が可能となる前記電子クーポンを発行する。
【０００９】
前記料金決定部は、前記提携店舗の使用履歴と、前記提携店舗における前記電子クーポンの使用履歴に基づいて、前記サービスの料金を決定する。
【００１０】
前記料金管理部は、前記通信装置からの要求に応じて、所定の単位時間ごとの前記サービスの料金に関する情報を提供する。
【００１１】
前記サービスは、前記通信装置を所持する利用者に対して、駐車場を提供するための駐車場サービスであり、前記料金決定部は、前記利用者による前記駐車場の提携店舗での前記電子クーポンの利用状況に応じて、駐車料金を決定する。
【００１２】
本技術の一側面の情報処理方法又はプログラムは、前述した本技術の一側面の情報処理装置に対応する方法又はプログラムである。
【００１３】
本技術の一側面の情報処理装置及び方法、並びにプログラムにおいては、サービスの利用開始時に通信装置と近接通信を行うことで得られる、通信装置を識別するための端末識別情報が取得され、端末識別情報により識別される通信装置に対して、サービスと提携している提携店舗で利用可能となる電子クーポンが発行され、端末識別情報と、提携店舗から得られる電子クーポンに関する情報と、サービスの料金を決定可能な情報とを関連付けることで、端末識別情報により識別される通信装置ごとに提供されるサービスの料金が管理され、サービスの決済時に通信装置と近接通信を行うことで得られる端末識別情報に関連付けられた電子クーポンの提携店舗での利用状況に応じて、サービスの料金が決定される。
【００１４】
本技術の一側面の情報処理システムは、所定のサービスを提供する端末装置と、前記サービスの料金を管理する第１の情報処理装置と、電子クーポンを管理する第２の情報処理装置からなる情報処理システムにおいて、前記端末装置は、近接通信を行う通信装置を検出する通信装置検出部と、前記通信装置が検出された場合、前記通信装置を識別するための端末識別情報を、前記第１の情報処理装置に通知する端末識別情報通知部とを備え、前記第１の情報処理装置は、前記端末装置から通知される前記端末識別情報を取得する端末識別情報取得部と、前記サービスの利用開始時に前記端末装置から通知される前記端末識別情報と、前記サービスと提携している提携店舗から得られる前記電子クーポンに関する情報と、前記サービスの料金を決定可能な情報とを関連付けることで、前記端末識別情報により識別される前記通信装置ごとに提供される前記サービスの料金を管理する料金管理部と、前記サービスの決済時に前記通信装置と近接通信を行うことで得られる前記端末識別情報に関連付けられた前記電子クーポンの前記提携店舗での利用状況に応じて、前記サービスの料金を決定し、前記端末装置に通知する料金決定部とを備え、前記第２の情報処理装置は、前記端末識別情報により識別される前記通信装置に対して、前記提携店舗で利用可能となる、前記通信装置に対する電子クーポンを発行する電子クーポン発行部を備える。
【００１５】
端末装置や情報処理装置は、独立した装置であってもよいし、１つの装置を構成している内部ブロックであってもよい。
【００１６】
本技術の一側面の情報処理システムにおいては、端末装置によって、近接通信を行う通信装置が検出され、通信装置が検出された場合、通信装置を識別するための端末識別情報が、第１の情報処理装置に通知され、第１の情報処理装置によって、端末装置から通知される端末識別情報が取得され、サービスの利用開始時に端末装置から通知される端末識別情報と、サービスと提携している提携店舗から得られる電子クーポンに関する情報と、サービスの料金を決定可能な情報とを関連付けることで、端末識別情報により識別される通信装置ごとに提供されるサービスの料金が管理され、サービスの決済時に通信装置と近接通信を行うことで得られる端末識別情報に関連付けられた電子クーポンの提携店舗での利用状況に応じて、サービスの料金が決定され、端末装置に通知され、第２の情報処理装置によって、端末識別情報により識別される通信装置に対して、提携店舗で利用可能となる、通信装置に対する電子クーポンが発行される。
【発明の効果】
【００１７】
本技術の一側面によれば、電子クーポンを利用したサービスの質の向上を図ることができる。
【図面の簡単な説明】
【００１８】
【図１】本技術を適用した駐車料金決済システムの構成を示す図である。
【図２】携帯端末装置の構成例を示す図である。
【図３】駐車場端末装置の構成例を示す図である。
【図４】駐車場サーバの構成例を示す図である。
【図５】駐車場アプリケーションソフトウェアの構成例を示す図である。
【図６】駐車場端末制御プログラムの構成例を示す図である。
【図７】駐車場サーバ制御プログラムの構成例を示す図である。
【図８】提携店サーバ制御プログラムの構成例を示す図である
【図９】提携店端末制御プログラムの構成例を示す図である。
【図１０】電子クーポンを利用した駐車料金決済処理を説明するフローチャートである。
【図１１】駐車場入庫処理の概要を説明する図である。
【図１２】駐車場端末装置による駐車場入庫処理を説明するフローチャートである。
【図１３】入庫時刻通知・駐車場情報生成処理を説明するフローチャートである。
【図１４】電子クーポン取得通知処理を説明するフローチャートである。
【図１５】駐車場サーバによる駐車場入庫処理を説明するフローチャートである。
【図１６】駐車場利用状況データベースの構成例を示す図である。
【図１７】提携店サーバによる駐車場入庫処理を説明するフローチャートである。
【図１８】電子クーポンデータベースの構成例を示す図である。
【図１９】利用時間・料金確認処理の概要を説明する図である。
【図２０】利用時間・料金確認処理を説明するフローチャートである。
【図２１】電子クーポン利用処理の概要を説明する図である。
【図２２】電子クーポン利用処理を説明するフローチャートである。
【図２３】電子クーポン利用状況データベースの構成例を示す図である。
【図２４】駐車料金決済処理の概要を説明する図である。
【図２５】駐車場端末装置による駐車料金決済処理を説明するフローチャートである。
【図２６】電子クーポン利用状況決定処理を説明するフローチャートである。
【図２７】電子クーポン利用状況に応じた駐車料金決済処理を説明するフローチャートである。
【図２８】提携店サーバによる駐車料金決済処理を説明するフローチャートである。
【図２９】駐車場サーバによる駐車料金決済処理を説明するフローチャートである。
【図３０】本技術を適用した駐車料金決済システムの他の構成を示す図である。
【発明を実施するための形態】
【００１９】
以下、図面を参照しながら本技術の実施の形態について説明する。
１．第１の実施の形態
２．第２の実施の形態
３．変形例
【００２０】
＜１．第１の実施の形態＞
［駐車料金決済システムの構成］
図１は、本技術を適用した駐車料金決済システムの構成を示す図である。
【００２１】
図１に示すように、駐車料金決済システム１は、携帯端末装置１１、駐車場端末装置１２、駐車場サーバ１３、提携店サーバ１４、及び提携店端末装置１５から構成される。
【００２２】
携帯端末装置１１は、例えば、非接触通信を行うICチップを内蔵した携帯電話機である。携帯端末装置１１と、リーダライタを内蔵した駐車場端末装置１２又は提携店端末装置１５との間では、所定の周波数の搬送波を使用した電磁誘導による近接通信が行われ、非接触でのデータの送受信が行われる。
【００２３】
また、携帯端末装置１１は、所定のアプリケーションソフトウェアを起動することで、インターネット４を介して駐車場サーバ１３にアクセスすることが可能である。
【００２４】
駐車場端末装置１２は、駐車場２の出入り口付近に設置され、利用者によりかざされた携帯端末装置１１と、リーダライタにより近接通信を行うことで、電子マネーによる駐車料金の決済を行う。また、駐車場端末装置１２は、専用線等の通信回線を介して、駐車場サーバ１３及び提携店サーバ１４と接続され、通信回線を介したデータの送受信を行う。
【００２５】
駐車場サーバ１３は、例えば、駐車場２をサービスとして提供する事業者により管理されるサービスセンタ内に設置される。駐車場サーバ１３は、所定の通信回線を介して、駐車場端末装置１２及び提携店端末装置１５と接続され、通信回線を介したデータの送受信を行う。また、駐車場サーバ１３は、インターネット４に接続可能であり、携帯端末装置１１に対して、駐車場に関連する各種の情報を提供する。
【００２６】
また、駐車場サーバ１３には、駐車場利用状況データベース１３Ａが接続されており、駐車場２の利用状況に関する情報が登録される。
【００２７】
提携店サーバ１４は、例えば、電子クーポンをサービスとして提供する事業者により管理されるサービスセンタ内に設置される。提携店サーバ１４は、所定の通信回線を介して、駐車場端末装置１２及び提携店端末装置１５と接続され、通信回線を介したデータの送受信を行う。
【００２８】
また、提携店サーバ１４には、電子クーポンに関する情報が登録される電子クーポンデータベース１４Ａ、及び電子クーポンと店舗の使用履歴が記録される電子クーポン利用状況データベース１４Ｂが接続される。なお、以下、電子クーポン使用履歴と、店舗使用履歴を区別する必要がない場合、単に、使用履歴と称する。
【００２９】
提携店端末装置１５は、駐車場提携店３に設置され、支払いを行う利用者によりかざされた携帯端末装置１１と、リーダライタにより近接通信を行うことで、電子マネーによる決済を行う。また、提携店端末装置１５は、所定の通信回線を介して、駐車場サーバ１３及び提携店サーバ１４と接続され、通信回線を介したデータの送受信を行う。なお、駐車場提携店３は、駐車場２のサービスを提供する事業者と提携している他の事業者により提供される、例えば、飲食店や小売店等の店舗である。
【００３０】
以上のようにして、駐車料金決済システム１は構成される。
【００３１】
［携帯端末装置の構成］
図２は、携帯端末装置１１の構成例を示す図である。
【００３２】
図２に示すように、携帯端末装置１１は、CPU３１、ROM３２、RAM３３、ICチップ３４、入力部３５、表示部３６、記録部３７、及び通信部３８から構成される。
【００３３】
CPU３１は、携帯端末装置１１の各部の動作を制御する。CPU３１は、ROM３２に記憶されているプログラム、又は記録部３７に記録されているプログラムに従って各種の処理を実行する。RAM３３には、CPU３１が実行するプログラムやデータなどが適宜記憶される。
【００３４】
ICチップ３４は、電波を利用して、後述するリーダライタ５４（図３）との間で、非接触でのデータの送受信を行う。ICチップ３４は、CPU４１、メモリ４２、及びアンテナ４３から構成される。CPU４１は、ICチップ３４の各部の動作を制御する。
【００３５】
メモリ４２は、ROMやRAMなどから構成される。メモリ４２には、所定のプログラムや、OS（Operating System）などが記憶される。メモリ４２にはまた、プログラム等が一時的に使用するデータが一時的に記憶される。
【００３６】
アンテナ４３は、ICチップ３４と、リーダライタ５４が非接触のデータの送受信を行う際に、リーダライタ５４から発生された磁界による誘導電圧を生じさせる。これにより、ICチップ３４が駆動され、リーダライタ５４との間で、近接通信によるデータの送受信が行われる。
【００３７】
入力部３５は、テンキーや十字キーなどから構成され、利用者の操作に応じた信号を、CPU３１に供給する。表示部３６は、LCD（Liquid Crystal Display）などのディスプレイであって、CPU３１の制御に従って、所定の情報を表示する。
【００３８】
記録部３７は、CPU３１から供給されるデータを記録する。また、記録部３７は、CPU３１の制御に従って、記録しているデータをCPU３１に供給する。
【００３９】
通信部３８は、CPU３１の制御に従って、インターネット４を介して、駐車場サーバ１３に接続し、データの送受信を行う。
【００４０】
以上のようにして、携帯端末装置１１は構成される。
【００４１】
［駐車場端末装置の構成］
図３は、駐車場端末装置１２の構成例を示す図である。
【００４２】
図３に示すように、駐車場端末装置１２は、CPU５１、ROM５２、RAM５３、リーダライタ５４、入力部５５、表示部５６、記録部５７、及び通信部５８から構成される。
【００４３】
CPU５１は、駐車場端末装置１２の各部の動作を制御する。CPU５１は、ROM５２に記憶されているプログラム、又は記録部５７に記録されているプログラムに従って各種の処理を実行する。RAM５３には、CPU５１が実行するプログラムやデータなどが適宜記憶される。
【００４４】
リーダライタ５４は、利用者により携帯端末装置１１がかざされた場合、電波を利用して、ICチップ３４（図２）との間で、非接触でのデータの送受信を行う。
【００４５】
入力部５５は、ボタンなどから構成され、利用者の操作に応じた信号を、CPU５１に供給する。表示部５６は、LCDなどのディスプレイであって、CPU５１の制御に従って、所定の情報を表示する。なお、表示部５６に、タッチパネルを重畳させて、表示部５６に表示された操作画面を選択する利用者の操作を受け付けて、その操作に対応する信号を、CPU５１に供給してもよい。
【００４６】
記録部５７は、CPU５１から供給されるデータを記録する。また、記録部５７は、CPU５１の制御に従って、記録しているデータをCPU５１に供給する。
【００４７】
通信部５８は、CPU５１の制御に従って、専用線等の通信回線を介して、駐車場サーバ１３又は提携店サーバ１４に接続し、データの送受信を行う。
【００４８】
以上のようにして、駐車場端末装置１２は構成される。
【００４９】
なお、提携店端末装置１５は、駐車場端末装置１２と同様の構成を有するため、その構成の説明は省略する。
【００５０】
［駐車場サーバの構成］
図４は、駐車場サーバ１３の構成例を示す図である。
【００５１】
CPU７１は、ROM７２に記憶されているプログラム、又は記録部７８に記録されているプログラムに従って各種の処理を実行する。RAM７３には、CPU７１が実行するプログラムやデータなどが適宜記憶される。これらのCPU７１、ROM７２、およびRAM７３は、バス７４を介して相互に接続されている。
【００５２】
CPU７１にはまた、バス７４を介して入出力インターフェース７５が接続されている。入出力インターフェース７５には、キーボード、マウス等よりなる入力部７６、ディスプレイ、スピーカ等よりなる出力部７７が接続されている。CPU７１は、入力部７６から入力される指令に対応して各種の処理を実行する。
【００５３】
入出力インターフェース７５に接続されている記録部７８は、CPU７１が実行するプログラムや各種のデータを記録する。通信部７９は、インターネットその他のネットワークを介して外部の装置と通信する。また、通信部７９を介してプログラムを取得し、記録部７８に記録してもよい。
【００５４】
入出力インターフェース７５に接続されているドライブ８０は、磁気ディスク、光ディスク、光磁気ディスク、あるいは半導体メモリなどのリムーバブルメディア８１が装着されたとき、それらを駆動し、そこに記録されているプログラムやデータなどを取得する。取得されたプログラムやデータは、必要に応じて記録部７８に転送され、記録される。
【００５５】
以上のようにして、駐車場サーバ１３は構成される。
【００５６】
なお、提携店サーバ１４は、駐車場サーバ１３と同様の構成を有するため、その構成の説明は省略する。
【００５７】
［駐車場アプリケーションソフトウェアの構成］
図５は、駐車場アプリケーションソフトウェア１１１の構成を示す図である。
【００５８】
駐車場アプリケーションソフトウェア１１１は、例えば、インターネット４を介して駐車場サーバ１３から携帯端末装置１１にダウンロードされ、記録部３７にインストールされる。駐車場アプリケーションソフトウェア１１１は、携帯端末装置１１のCPU３１により実行される。
【００５９】
駐車場アプリケーションソフトウェア１１１は、駐車場情報処理部１２１、駐車場利用状況情報処理部１２２、表示制御部１２３、及び決済処理部１２４から構成される。
【００６０】
駐車場情報処理部１２１は、ICチップ３４を制御して、駐車場端末装置１２と近接通信を行い、駐車場端末装置１２から駐車場情報を取得する。表示制御部１２３は、駐車場情報処理部１２１により取得された駐車場情報を、表示部３６に表示させる。
【００６１】
駐車場利用状況情報処理部１２２は、通信部３８を制御して、インターネット４を介して駐車場サーバ１３にアクセスし、駐車場利用状況情報を取得する。表示制御部１２３は、駐車場利用状況情報処理部１２２により取得された駐車場利用状況情報を、表示部３６に表示させる。
【００６２】
決済処理部１２４は、駐車場端末装置１２又は提携店端末装置１５から通知される決済の要求に応じて、電子マネーの決済処理を行う。
【００６３】
以上のようにして、駐車場アプリケーションソフトウェア１１１は構成される。
【００６４】
［駐車場端末制御プログラムの構成］
図６は、駐車場端末制御プログラム１３１の構成を示す図である。
【００６５】
駐車場端末制御プログラム１３１は、駐車場端末装置１２のCPU５１により実行される。駐車場端末制御プログラム１３１は、携帯端末装置検出部１４１、端末識別情報処理部１４２、入庫時刻処理部１４３、駐車場情報処理部１４４、電子クーポン処理部１４５、使用履歴処理部１４６、及び決済処理部１４７から構成される。
【００６６】
携帯端末装置検出部１４１は、リーダライタ５４を制御してポーリングを行い、携帯端末装置１１を検出する。
【００６７】
端末識別情報処理部１４２は、リーダライタ５４を制御して、携帯端末装置１１から、その携帯端末装置１１を一意に識別するための情報（以下、端末識別情報という）を取得する。なお、端末識別情報としては、例えば、ICチップ３４に割り当てられた固有のIDや、携帯端末装置１１の製造番号などが取得される。端末識別情報処理部１４２は、通信部５８を制御して、駐車場サーバ１３にアクセスし、取得された端末識別情報を通知する。
【００６８】
入庫時刻処理部１４３は、利用者の携帯端末装置１１がかざされ、自動車が駐車場２に入庫した時刻（以下、入庫時刻という）を取得する。入庫時刻処理部１４３は、通信部５８を制御して、駐車場サーバ１３にアクセスし、取得された入庫時刻を通知する。
【００６９】
駐車場情報処理部１４４は、駐車場２に関連する情報（以下、駐車場情報という）を生成する。駐車場情報処理部１４４は、リーダライタ５４を制御して、生成された駐車場情報を、携帯端末装置１１に通知する。
【００７０】
電子クーポン処理部１４５は、通信部５８を制御して、提携店サーバ１４にアクセスし、電子クーポンを取得する。また、電子クーポン処理部１４５は、通信部５８を制御して、駐車場サーバ１３にアクセスし、取得された電子クーポンを通知する。
【００７１】
使用履歴処理部１４６は、通信部５８を制御して、提携店サーバ１４にアクセスし、使用履歴を取得する。使用履歴処理部１４６は、取得された使用履歴に基づいて、電子クーポンの利用状況を決定する。
【００７２】
決済処理部１４７は、通信部５８を制御して、駐車場サーバ１３にアクセスし、駐車料金を取得する。また、決済処理部１４７は、使用履歴処理部１４６により決定された電子クーポンの利用状況に基づいて、取得された駐車料金の決済額を決定する。決済処理部１４７は、リーダライタ５４を制御して、携帯端末装置１１に、決済額を要求する。
【００７３】
以上のようにして、駐車場端末制御プログラム１３１は構成される。
【００７４】
［駐車場サーバ制御プログラムの構成］
図７は、駐車場サーバ制御プログラム１５１の構成を示す図である。
【００７５】
駐車場サーバ制御プログラム１５１は、駐車場サーバ１３のCPU７１により実行される。駐車場サーバ制御プログラム１５１は、端末識別情報・入庫時刻取得部１６１、駐車場利用状況情報管理部１６２、電子クーポン処理部１６３、及び料金決定部１６４から構成される。
【００７６】
端末識別情報・入庫時刻取得部１６１は、通信部７９を制御して、駐車場端末装置１２から通知される端末識別情報と入庫時刻を取得し、駐車場利用状況情報管理部１６２に供給する。
【００７７】
電子クーポン処理部１６３は、通信部７９を制御して、駐車場端末装置１２から通知される電子クーポンを取得し、駐車場利用状況情報管理部１６２に供給する。
【００７８】
駐車場利用状況情報管理部１６２は、駐車場利用状況データベース１３Ａの管理を行う。駐車場利用状況情報管理部１６２には、端末識別情報・入庫時刻取得部１６１からの端末識別情報と入庫時刻、電子クーポン処理部１６３からの電子クーポンが供給される。駐車場利用状況情報管理部１６２は、端末識別情報ごとに、入庫時刻と電子クーポンを、駐車場利用状況データベース１３Ａに登録する。
【００７９】
料金決定部１６４は、駐車場端末装置１２からの問い合わせに応じて、駐車場利用状況データベース１３Ａを参照して、駐車料金を決定する。料金決定部１６４は、通信部７９を制御して、駐車料金を、駐車場端末装置１２に通知する。
【００８０】
以上のようにして、駐車場サーバ制御プログラム１５１は構成される。
【００８１】
［提携店サーバ制御プログラムの構成］
図８は、提携店サーバ制御プログラム１７１の構成を示す図である。
【００８２】
提携店サーバ制御プログラム１７１は、提携店サーバ１４のCPU７１により実行される。提携店サーバ制御プログラム１７１は、カウント処理部１８１、電子クーポン発行部１８２、及び電子クーポン利用状況管理部１８３から構成される。
【００８３】
カウント処理部１８１は、通信部７９を制御して、提携店端末装置１５と通信を行い、駐車場提携店３に設置される提携店端末装置１５ごとに、電子マネーによる決済が行われた回数（以下、タッチ回数という）をカウントする。カウント処理部１８１は、カウントされたタッチ回数を、駐車場提携店３の電子クーポンに対応付けて、電子クーポンデータベース１４Ａに記録する。
【００８４】
電子クーポン発行部１８２は、駐車場端末装置１２からの問い合わせに応じて、電子クーポンデータベース１４Ａを参照して、タッチ回数が最も少ない駐車場提携店３の電子クーポンを取得する。電子クーポン発行部１８２は、通信部７９を制御して、携帯端末装置１１に対する電子クーポンを、駐車場端末装置１２に発行する。
【００８５】
電子クーポン利用状況管理部１８３は、通信部７９を制御して、提携店端末装置１５から通知される端末識別情報と使用履歴を取得する。電子クーポン利用状況管理部１８３は、端末識別情報ごとに、使用履歴を、電子クーポン利用状況データベース１４Ｂに記録する。
【００８６】
また、電子クーポン利用状況管理部１８３は、駐車場端末装置１２からの問い合わせに応じて、電子クーポン利用状況データベース１４Ｂを参照して、使用履歴を取得する。電子クーポン利用状況管理部１８３は、通信部７９を制御して、取得された使用履歴を、駐車場端末装置１２に通知する。
【００８７】
以上のようにして、提携店サーバ制御プログラム１７１は構成される。
【００８８】
［提携店端末制御プログラムの構成］
図９は、提携店端末制御プログラム１９１の構成例を示す図である。
【００８９】
提携店端末制御プログラム１９１は、提携店端末装置１５のCPU５１により実行される。提携店端末装置１５は、携帯端末装置検出部２０１、電子クーポン処理部２０２、決済処理部２０３、及び使用履歴処理部２０４から構成される。
【００９０】
携帯端末装置検出部２０１は、リーダライタ５４を制御してポーリングを行い、携帯端末装置１１を検出する。
【００９１】
電子クーポン処理部２０２は、通信部５８を制御して、駐車場サーバ１３にアクセスし、電子マネー決済を行う携帯端末装置１１に該当する電子クーポンの有無を問い合わせる。
【００９２】
決済処理部２０３は、電子クーポン処理部２０２による問い合わせの結果に応じた決済処理を行う。
【００９３】
使用履歴処理部２０４は、決済処理部２０３による決済処理の結果に基づいて、電子クーポン使用履歴と、店舗使用履歴を取得する。また、使用履歴処理部２０４は、リーダライタ５４を制御して、携帯端末装置１１から端末識別情報を取得する。使用履歴処理部２０４は、通信部５８を制御して、携帯端末情報と使用履歴を、提携店サーバ１４に通知する。
【００９４】
以上のようにして、提携店端末制御プログラム１９１は構成される。
【００９５】
［駐車料金決済処理］
次に、図１０のフローチャートを参照して、駐車料金決済システム１により行われる、電子クーポンを利用した駐車料金決済処理について説明する。
【００９６】
ステップＳ１において、携帯端末装置１１、駐車場端末装置１２、駐車場サーバ１３、及び提携店サーバ１４は、利用者の自動車が入庫されるときに行われる駐車場入庫処理を行う。この駐車場入庫処理の詳細は、図１１乃至図１８を参照して後述する。
【００９７】
ステップＳ２において、携帯端末装置１１及び駐車場サーバ１３は、利用者が駐車場利用状況を確認するときに行われる利用時間・料金確認処理を行う。この利用時間・料金確認処理の詳細は、図１９及び図２０を参照して後述する。
【００９８】
ステップＳ３において、携帯端末装置１１、駐車場サーバ１３、提携店サーバ１４、及び提携店端末装置１５は、利用者が駐車場提携店３で電子マネーによる決済をするときに行われる電子クーポン利用処理を行う。この電子クーポン利用処理の詳細は、図２１乃至図２３を参照して後述する。
【００９９】
ステップＳ４において、携帯端末装置１１、駐車場端末装置１２、駐車場サーバ１３、及び提携店サーバ１４は、利用者が駐車場２で駐車料金を支払うときに行われる駐車料金決定処理を行う。この電子クーポンによる駐車料金決定処理は、図２４乃至図２９を参照して後述する。
【０１００】
［駐車場入庫処理］
次に、図１１乃至図１８を参照して、図１０のステップＳ１に対応する駐車場入庫処理について説明する。
【０１０１】
図１１は、駐車場入庫処理の概要を説明する図である。
【０１０２】
図１１に示すように、第１に、利用者は、自動車を駐車場２に入庫させる場合、携帯端末装置１１を駐車場端末装置１２にかざしてから、駐車場２に入る。第２に、駐車場端末装置１２は、携帯端末装置１１がかざされると、駐車場情報を取得するとともに、駐車場サーバ１３にアクセスして、端末識別情報と入庫時刻を、駐車場利用状況データベース１３Ａに登録する。
【０１０３】
第３に、駐車場端末装置１２は、提携店サーバ１４にアクセスして、電子クーポンデータベース１４Ａに登録されている電子クーポンのうち、タッチ回数の少ない電子クーポンを取得する。第４に、駐車場端末装置１２は、駐車場サーバ１３にアクセスして、取得された電子クーポンを、駐車場利用状況データベース１３Ａに登録する。
【０１０４】
第５に、駐車場端末装置１２は、携帯端末装置１１と近接通信を行い、取得された駐車場情報を通知して、携帯端末装置１１の表示部３６に表示させる。
【０１０５】
なお、駐車場入庫処理とは関係なく、提携店サーバ１４の電子クーポンデータベース１４Ａでは、駐車場提携店３に設置される提携店端末装置１５において、電子マネーによる決済が行われた回数がカウントされ、タッチ回数として蓄積される。
【０１０６】
このような流れで、駐車場入庫処理が行われるが、次に、図１２乃至図１８を参照して、各装置で行われる駐車場入庫処理の詳細について説明する。
【０１０７】
まず、図１２のフローチャートを参照して、駐車場端末装置１２により行われる駐車場入庫処理について説明する。
【０１０８】
ステップＳ１０１において、携帯端末装置検出部１４１は、利用者によりかざされた携帯端末装置１１のポーリングを行い、携帯端末装置１１の検出を行う。携帯端末装置１１が検出された場合、処理は、ステップＳ１０２に進む。
【０１０９】
ステップＳ１０２において、端末識別情報処理部１４２乃至駐車場情報取得部１４４は、入庫時刻通知・駐車場情報生成処理を行う。ここで、図１３のフローチャートを参照して、ステップＳ１０２に対応する入庫時刻通知・駐車場情報生成処理の詳細について説明する。
【０１１０】
ステップＳ１１１において、端末識別情報処理部１４２は、検出された携帯端末装置１１から端末識別情報を取得する。ステップＳ１１２において、入庫時刻処理部１４３は、入庫時刻を取得する。
【０１１１】
ステップＳ１１３において、端末識別情報処理部１４２及び入庫時刻処理部１４３は、駐車場サーバ１３にアクセスし、取得された端末識別情報と入庫時刻を、駐車場サーバ１３に通知する（ステップＳ１１４）。
【０１１２】
ステップＳ１１５において、駐車場情報処理部１４４は、駐車場サーバ１３から駐車場２の空車状況に関する情報（以下、駐車場空きスペース情報という）を取得する。
【０１１３】
ステップＳ１１６において、駐車場情報処理部１４４は、記録部５７から端末保持情報を取得する。この端末保持情報としては、例えば、駐車場２についての、時間単位の駐車料金、提携店舗、駐車場利用状況確認サイトのURLなどの情報が取得される。
【０１１４】
ステップＳ１１７において、駐車場情報処理部１４４は、取得された駐車場空きスペース情報と端末保持情報から、駐車場情報を生成する。
【０１１５】
駐車場情報の生成が完了すると、処理は、図１２のフローチャートに戻り、ステップＳ１０２以降の処理が行われる。
【０１１６】
ステップＳ１０３において、電子クーポン処理部１４５は、電子クーポン取得通知処理を行う。ここで、図１４のフローチャートを参照して、ステップＳ１０３に対応する電子クーポン取得通知処理の詳細について説明する。
【０１１７】
電子クーポン処理部１４５は、ステップＳ１２１において、提携店サーバ１４にアクセスし、電子クーポンを問い合わせる（ステップＳ１２２）。ステップＳ１２３において、電子クーポン処理部１４５は、提携店サーバ１４から電子クーポンを取得する。
【０１１８】
提携店サーバ１４から電子クーポンが取得されると、ステップＳ１２４において、電子クーポン処理部１４５は、駐車場サーバ１３にアクセスし、取得された電子クーポンを、端末識別情報とともに通知する（ステップＳ１２５）。
【０１１９】
電子クーポンの通知が完了すると、処理は、図１２のフローチャートに戻り、ステップＳ１０３以降の処理が行われる。
【０１２０】
ステップＳ１０４において、駐車場情報処理部１４４は、取得された駐車場情報を、携帯端末装置１１に通知する。これにより、携帯端末装置１１の表示部３６には、駐車場情報が表示される。例えば、利用者は、駐車場空きスペース情報を確認することで、駐車に要する時間を短縮することができる。
【０１２１】
このように、駐車場端末装置１２においては、駐車場入庫処理が行われ、入庫時刻と電子クーポンが、端末識別情報とともに駐車場サーバ１３に通知される一方、駐車場情報が、携帯端末装置１１に通知される。
【０１２２】
次に、図１５のフローチャートを参照して、駐車場サーバ１３により行われる駐車場入庫処理について説明する。
【０１２３】
駐車場端末装置１２からアクセスされると（ステップＳ１３１の「Yes」）、ステップＳ１３２において、端末識別情報・入庫時刻取得部１６１は、駐車場端末装置１２から通知される端末識別情報と入庫時刻を取得する。ステップＳ１３３において、駐車場利用状況情報管理部１６２は、端末識別情報・入庫時刻取得部１６１により取得された端末識別情報と入庫時刻を、駐車場利用状況データベース１３Ａに登録する。
【０１２４】
これにより、駐車場利用状況データベース１３Ａには、端末識別情報ごとに、入庫時刻が登録され、携帯端末装置１１ごとの駐車料金が管理される。
【０１２５】
端末識別情報と入庫時刻の登録が完了した後に、駐車場端末装置１２からアクセスされると（ステップＳ１３４の「Yes」）、処理は、ステップＳ１３５に進む。
【０１２６】
ステップＳ１３５において、駐車場利用状況情報管理部１６２は、駐車場空きスペース情報を取得し、駐車場端末装置１２に通知する（ステップＳ１３６）。なお、駐車場利用状況情報管理部１６２は、駐車場端末装置１２との間で、駐車場２の空車状況に関する情報をやりとりすることで、最新の駐車場空きスペース情報を管理している。
【０１２７】
駐車場空きスペース情報の通知が完了した後に、駐車場端末装置１２からアクセスされると（ステップＳ１３７の「Yes」）、処理は、ステップＳ１３８に進む。
【０１２８】
ステップＳ１３８において、電子クーポン処理部１６３は、駐車場端末装置１２から通知される端末識別情報と、電子クーポンを取得する。ステップＳ１３９において、電子クーポン処理部１６３は、取得された端末識別情報に応じて、電子クーポンを駐車場利用状況データベース１３Ａに登録する。
【０１２９】
これにより、図１６に示すように、駐車場利用状況データベース１３Ａには、端末識別情報ごとに、入庫時刻の他、電子クーポンに関する情報が登録され、携帯端末装置１１ごとの電子クーポンが管理される。
【０１３０】
このように、駐車場サーバ１３においては、駐車場入庫処理が行われ、駐車場利用状況データベース１３Ａには、携帯端末装置１１の端末識別情報ごとに、入庫時刻と電子クーポンが登録される。
【０１３１】
次に、図１７のフローチャートを参照して、提携店サーバ１４により行われる駐車場入庫処理を説明する。
【０１３２】
ステップＳ１４１において、カウント処理部１８１は、タッチ回数のカウント処理を行う。このカウント処理としては、前述したように、駐車場提携店３に設置される提携店端末装置１５ごとのタッチ回数のカウントが行われる。図１８に示すように、カウントされたタッチ回数は、駐車場提携店３（の電子クーポン）に対応付けられて、電子クーポンデータベース１４Ａに記録される。また、カウントは、時間単位、日単位、週単位などの所定の単位で行われる。
【０１３３】
図１７のフローチャートに戻り、駐車場端末装置１２からアクセスされていない場合（ステップＳ１４２の「No」）、処理は、ステップＳ１４１に戻り、カウント処理が繰り返され、携帯端末装置１１のタッチ回数が、電子クーポンデータベース１４Ａに記録される。
【０１３４】
なお、以下の説明では、説明を具体的にするため、駐車場提携店３として、Ａ店、Ｂ店、Ｃ店が登録されている場合について説明する。また、Ａ店のタッチ回数をＡ、Ｂ店のタッチ回数をＢ、Ｃ店のタッチ回数をＣと称して説明する。
【０１３５】
駐車場端末装置１２からアクセスされると（ステップＳ１４２の「Yes」）、処理は、ステップＳ１４３に進む。ステップＳ１４３において、電子クーポン発行部１８２は、電子クーポンデータベース１４Ａを参照して、タッチ回数Ａがタッチ回数Ｂ未満であり、かつ、タッチ回数Ａがタッチ回数Ｃ未満であるか否かを判定する。
【０１３６】
ステップＳ１４３の判定条件を満たすと判定された場合、処理は、ステップＳ１４４に進む。ステップＳ１４４において、電子クーポン発行部１８２は、Ａ店の電子クーポンを、駐車場端末装置１２に発行する。これにより、携帯端末装置１１に対するＡ店の電子クーポンが発行されたことになる。
【０１３７】
一方、ステップＳ１４３の判定条件を満たしていないと判定された場合、処理は、ステップＳ１４５に進む。ステップＳ１４５において、電子クーポン発行部１８２は、電子クーポンデータベース１４Ａを参照して、タッチ回数Ｂがタッチ回数Ｃ未満であるか否かを判定する。
【０１３８】
ステップＳ１４５の判定条件を満たすと判定された場合、処理は、ステップＳ１４６に進む。ステップＳ１４６において、電子クーポン発行部１８２は、Ｂ店の電子クーポンを、駐車場端末装置１２に発行する。これにより、携帯端末装置１１に対するＢ店の電子クーポンが発行されたことになる。
【０１３９】
一方、ステップＳ１４５の判定条件を満たしてないと判定された場合、処理は、ステップＳ１４７に進む。ステップＳ１４７において、電子クーポン発行部１８２は、Ｃ店の電子クーポンを、駐車場端末装置１２に発行する。これにより、携帯端末装置１１に対するＣ店の電子クーポンが発行されたことになる。
【０１４０】
ステップＳ１４４，Ｓ１４６，Ｓ１４７のいずれかが終了すると、駐車場入庫処理は、終了する。
【０１４１】
このように、提携店サーバ１４においては、駐車場入庫処理が行われ、携帯端末装置１１に対する電子クーポンが、タッチ回数に応じて発行される。
【０１４２】
以上のように、駐車場入庫処理においては、携帯端末装置１１が駐車場端末装置１２にかざされると、携帯端末装置１１から端末識別情報が取得され、携帯端末装置１１に対する電子クーポンが発行されて、駐車場利用状況データベース１３Ａには、端末識別情報ごとに、電子クーポンと入庫時刻が登録される。
【０１４３】
［利用時間・料金確認処理］
次に、図１９及び図２０を参照して、図１０のステップＳ２に対応する利用時間・料金確認処理について説明する。
【０１４４】
図１９は、利用時間・料金確認処理の概要を説明する図である。
【０１４５】
図１９に示すように、第１に、携帯端末装置１１は、利用者の操作に応じて、インターネット４を介して駐車場サーバ１３にアクセスして、駐車場利用状況データベース１３Ａに登録されている駐車場利用状況情報を取得する。第２に、携帯端末装置１１は、取得された駐車場利用状況情報を、その画面に表示する。これにより、利用者は、携帯端末装置１１の表示部３６に表示された駐車場利用状況情報を確認することが可能となる。
【０１４６】
このような流れで、利用時間・料金確認処理が行われる。次に、図２０のフローチャートを参照して、携帯端末装置１１及び駐車場サーバ１３により行われる利用時間・料金確認処理の詳細について説明する。
【０１４７】
ステップＳ２０１において、駐車場利用状況情報処理部１２２は、利用者により所定の操作が行われたか否かを判定する。
【０１４８】
ステップＳ２０１において、所定の操作が行われたと判定された場合、処理は、ステップＳ２０２に進む。例えば、前述した駐車場入庫処理において、携帯端末装置１１には、駐車場情報として、駐車場利用状況確認サイトのURLが通知されているので、そのURLにアクセスする指示が利用者によりなされた場合、所定の操作が行われたと判定される。
【０１４９】
ステップＳ２０２において、駐車場利用状況情報処理部１２２は、駐車場サーバ１３にアクセスし、駐車場利用状況を問い合わせる（ステップＳ２０３）。
【０１５０】
携帯端末装置１１から駐車場利用状況が問い合わせられると、駐車場サーバ１３においては、駐車場利用状況情報管理部１６２が、その問い合わせに応じて、駐車場利用状況データベース１３Ａから駐車場利用状況情報を取得する（ステップＳ２１１）。この駐車場利用状況情報は、問い合わせをしてきた携帯端末装置１１の端末識別情報により特定されるものであって、例えば、入庫時刻により特定される駐車場の利用時間（例えば10:00〜12:00）、現時点での駐車料金（例えば500円）、時間単位の料金（例えば200円/30分）などの情報となる。
【０１５１】
ステップＳ２１２において、駐車場利用状況情報管理部１６２は、取得された駐車場利用状況情報を、携帯端末装置１１に通知する。
【０１５２】
駐車場サーバ１３から駐車場利用状況情報が通知されると、その駐車場利用状況情報が、携帯端末装置１１により受信される。ステップＳ２０４において、駐車場利用状況情報処理部１２２は、駐車場サーバ１３からの駐車場利用状況情報を取得する。ステップＳ２０５において、表示制御部１２３は、取得された駐車場利用状況情報を、表示部３６に表示する。これにより、利用者は、現在の駐車時間や駐車料金などを迅速に確認することができる。
【０１５３】
以上のように、利用時間・料金確認処理においては、携帯端末装置１１が、利用者の操作に応じて、インターネット４を介して駐車場サーバ１３にアクセスすることで、駐車場利用状況データベース１３Ａから駐車場利用状況情報が取得され、表示部３６に表示される。
【０１５４】
［電子クーポン利用処理］
次に、図２１乃至図２３を参照して、図１０のステップＳ３に対応する電子クーポン利用処理について説明する。
【０１５５】
図２１は、電子クーポン利用処理の概要を説明する図である。
【０１５６】
図２１に示すように、第１に、利用者は、駐車場提携店３において、買い物や食事などを行い、その支払いを電子マネーで行う場合、携帯端末装置１１を提携店端末装置１５にかざす。第２に、提携店端末装置１５は、駐車場サーバ１３にアクセスして、駐車場利用状況データベース１３Ａに登録されている、携帯端末装置１１ごとの電子クーポンの有無を確認する。
【０１５７】
第３に、提携店端末装置１５は、電子クーポンの有無に応じた決済処理を行い、提携店サーバ１４にアクセスして、その結果を通知する。そして、提携店サーバ１４においては、使用履歴が、電子クーポン利用状況データベース１４Ｂに記録される。
【０１５８】
このような流れで、電子クーポン利用処理が行われる。次に、図２２のフローチャートを参照して、駐車場サーバ１３、提携店サーバ１４、及び提携店端末装置１５により行われるクーポン利用処理の詳細について説明する。
【０１５９】
すなわち、駐車場提携店３において、駐車場２の利用者が買い物などを行い、携帯端末装置１１の電子マネーにより決済を行う場合、提携店端末装置１５においては、ステップＳ３０１以降の処理が行われる。
【０１６０】
ステップＳ３０１において、携帯端末装置検出部２０１は、利用者によりかざされた携帯端末装置１１のポーリングを行い、携帯端末装置１１の検出を行う。携帯端末装置検出部２０１により携帯端末装置１１が検出された場合、携帯端末装置１１から端末識別情報が取得され、処理は、ステップＳ３０２に進む。
【０１６１】
ステップＳ３０２において、電子クーポン処理部２０２は、駐車場サーバ１３にアクセスし、電子クーポンの有無を問い合わせる（ステップＳ３０３）。
【０１６２】
提携店端末装置１５から電子クーポンの有無が問い合わせられると、駐車場サーバ１３においては、電子クーポン処理部１６３が、その問い合わせに応じて、駐車場利用状況データベース１３Ａを参照して、電子クーポンの有無を確認する（ステップＳ３２１）。この電子クーポンの有無は、問い合わせをしてきた提携店端末装置１５にかざされた携帯端末装置１１の端末識別情報により特定される。
【０１６３】
ステップＳ３２２において、電子クーポン処理部１６３は、電子クーポンの有無の確認結果を、提携店端末装置１５に通知する。
【０１６４】
駐車場サーバ１３から確認結果が通知されると、その通知が、提携店端末装置１５により受信される。ステップＳ３０４において、電子クーポン処理部２０２は、電子クーポンの有無の通知結果に基づいて、利用者の携帯端末装置１１に対して、駐車場提携店３の電子クーポンが登録されているか否かを判定する。
【０１６５】
ステップＳ３０４において、電子クーポンが登録されていないと判定された場合、処理は、ステップＳ３０５に進む。ステップＳ３０５において、決済処理部２０３は、電子クーポンを利用しない場合の決済処理を行う。そして、ステップＳ３０６において、使用履歴処理部２０４は、提携店サーバ１４にアクセスし、店舗使用履歴を通知する（ステップＳ３０７）。
【０１６６】
一方、ステップＳ３０４において、電子クーポンが登録されていると判定された場合、処理は、ステップＳ３０８に進む。そして、例えば、駐車場提携店３の店員は、利用者に対して、電子クーポンを利用するか否かを確認し、電子クーポンを利用しない場合（ステップＳ３０８の「No」）、処理は、ステップＳ３０５に進む。この場合、前述したステップＳ３０５乃至Ｓ３０７が行われ、店舗使用履歴が、提携店サーバ１４に通知される。
【０１６７】
また、電子クーポンを利用する場合（ステップＳ３０８の「Yes」）、処理は、ステップＳ３０９に進む。ステップＳ３０９において、決済処理部２０３は、電子クーポンを利用する場合の決済処理を行う。そして、ステップＳ３１０において、使用履歴処理部２０４は、提携店サーバ１４にアクセスし、電子クーポン使用履歴と、店舗使用履歴を通知する（ステップＳ３１１）。
【０１６８】
提携店端末装置１５から、店舗使用履歴、又は電子クーポン使用履歴と店舗使用履歴が通知されると、その通知が、提携店サーバ１４に受信される。ステップＳ３３１において、電子クーポン利用状況管理部１８３は、店舗使用履歴、又は電子クーポン使用履歴と店舗使用履歴を取得し、それらの使用履歴を、電子クーポン利用状況データベース１４Ｂに記録する。これにより、図２３に示すように、電子クーポン利用状況データベース１４Ｂには、端末識別情報ごとに、例えば利用された時刻などの電子クーポン使用履歴と店舗使用履歴が記録される。
【０１６９】
以上のように、クーポン利用処理においては、携帯端末装置１１が提携店端末装置１５にかざされると、携帯端末装置１１から端末識別情報が取得され、電子クーポンの有無が確認され、電子クーポンに応じた決済処理が行われる。また、電子クーポン利用状況データベース１４Ｂには、端末識別情報ごとに、電子クーポン使用履歴と店舗使用履歴が記録される。
【０１７０】
［電子クーポンを利用した駐車料金決済処理］
次に、図２４乃至図２９を参照して、図１０のステップＳ４に対応する駐車料金決済処理について説明する。
【０１７１】
図２４は、電子クーポンを利用した駐車料金決済処理の概要を説明する図である。
【０１７２】
駐車場提携店３において、買い物や食事等をして、電子マネーによる決済を行った利用者は、駐車場２に戻って、入庫させておいた自動車を出庫させることとなるが、その駐車料金を電子マネーにより支払う場合、図２４に示すように、第１に、利用者は、携帯端末装置１１を駐車場端末装置１２にかざす。
【０１７３】
第２に、駐車場端末装置１２は、提携店サーバ１４にアクセスして、電子クーポン利用状況データベース１４Ｂに記録されている使用履歴を取得する。また、第３に、駐車場端末装置１２は、駐車場サーバ１３にアクセスして、駐車場利用状況データベース１３Ａにより管理されている、駐車料金を取得する。そして、第４に、駐車場端末装置１２は、使用履歴に応じた駐車料金を、携帯端末装置１１の電子マネー残高から引き落とし、決済を行う。第５に、駐車場端末装置１２は、駐車場サーバ１３にアクセスして、駐車場利用状況データベース１３Ａから電子クーポンを削除する。
【０１７４】
このような流れで駐車料金決済処理が行われるが、次に、図２５乃至図２９を参照して、各装置で行われる駐車料金決済処理の詳細について説明する。
【０１７５】
まず、図２５のフローチャートを参照して、駐車場端末装置１２により行われる駐車料金決済処理について説明する。
【０１７６】
ステップＳ４０１において、携帯端末装置検出部１４１は、利用者によりかざされた携帯端末装置１１のポーリングを行い、携帯端末装置１１の検出を行う。携帯端末装置１１が検出された場合、処理は、ステップＳ４０２に進む。
【０１７７】
ステップＳ４０２において、使用履歴処理部１４６は、電子クーポン利用状況決定処理を行う。ここで、図２６のフローチャートを参照して、ステップＳ４０２に対応する電子クーポン利用状況決定処理の詳細について説明する。
【０１７８】
ステップＳ４１１において、使用履歴処理部１４６は、提携店サーバ１４にアクセスし、使用履歴を問い合わせる（ステップＳ４１２）。
【０１７９】
ステップＳ４１３において、使用履歴処理部１４６は、提携店サーバ１４からの使用履歴の問い合わせ結果に基づいて、駐車場提携店３の店舗使用履歴が記録されているか否かを判定する。
【０１８０】
ステップＳ４１３において、駐車場提携店３の店舗使用履歴が記録されていると判定された場合、処理は、ステップＳ４１４に進む。ステップＳ４１４において、使用履歴処理部１４６は、駐車場提携店３の電子クーポンの使用履歴が記録されているか否かを判定する。
【０１８１】
ステップＳ４１４において、駐車場提携店３の電子クーポンの使用履歴が記録されていると判定された場合、処理は、ステップＳ４１５に進む。ステップＳ４１５において、使用履歴処理部１４６は、携帯端末装置１１の駐車場提携店３とその電子クーポンの利用状況を、利用状況Ａに決定する。この利用状況Ａは、店舗使用履歴と、電子クーポン使用履歴が両方記録されている場合となる。
【０１８２】
一方、ステップＳ４１４において、電子クーポンの使用履歴が記録されていないと判定された場合、処理は、ステップＳ４１６に進む。ステップＳ４１６において、使用履歴処理部１４６は、携帯端末装置１１の利用状況を、利用状況Ｂに決定する。この利用状況Ｂは、店舗使用履歴は記録されているが、電子クーポン使用履歴が記録されていない場合となる。
【０１８３】
また、ステップＳ４１３において、提携店の店舗使用履歴が記録されていないと判定された場合、処理は、ステップＳ４１７に進む。ステップＳ４１７において、使用履歴処理部１４６は、携帯端末装置１１の利用状況を、利用状況Ｃに決定する。この利用状況Ｃは、店舗使用履歴と、電子クーポン使用履歴が両方記録されていない場合となる。
【０１８４】
ステップＳ４１５，Ｓ４１６，Ｓ４１７により、携帯端末装置１１の利用状況が、利用状況Ａ乃至Ｃのいずれかに決定されると、処理は、図２５のフローチャートに戻り、ステップＳ４０２以降の処理が行われる。
【０１８５】
ステップＳ４０３において、決済処理部１４７は、駐車場サーバ１３にアクセスし、駐車料金を問い合わせる（ステップＳ４０４）。
【０１８６】
ステップＳ４０５において、決済処理部１４７は、電子クーポン利用状況に応じた駐車料金決済処理を行う。ここで、図２７のフローチャートを参照して、ステップＳ４０５に対応する電子クーポンの利用状況に応じた駐車料金決済処理の詳細について説明する。
【０１８７】
ステップＳ４２１において、決済処理部１４７は、ステップＳ４０２の利用状況決定処理の処理結果に基づいて、携帯端末装置１１の利用状況が、利用状況Ａであるか否かを判定する。
【０１８８】
ステップＳ４２１において、利用状況Ａであると判定された場合、処理は、ステップＳ４２２に進む。ステップＳ４２２において、決済処理部１４７は、下記の式（１）により決済額を求める。
【０１８９】
決済額＝駐車料金×割引率Ａ      ・・・（１）
【０１９０】
なお、式（１）において、駐車料金は、駐車場サーバ１３に問い合わせて、取得されたものである（ステップＳ４０４）。また、割引率Ａは、あらかじめ定められる駐車料金を割り引くための係数であって、後述する割引率Ｂよりも大きい値となる。
【０１９１】
一方、ステップＳ４２１において、利用状況Ａでないと判定された場合、処理は、ステップＳ４２３に進む。ステップＳ４２３において、決済処理部１４７は、ステップＳ４０２の利用状況決定処理の処理結果に基づいて、携帯端末装置１１の利用状況が、利用状況Ｂであるか否かを判定する。
【０１９２】
ステップＳ４２３において、利用状況Ｂであると判定された場合、処理は、ステップＳ４２４に進む。ステップＳ４２４において、決済処理部１４７は、下記の式（２）により決済額を求める。
【０１９３】
決済額＝駐車料金×割引率Ｂ      ・・・（２）
【０１９４】
なお、式（２）において、割引率Ｂは、あらかじめ定められる駐車料金を割り引くための係数であって、前述したように、割引率Ａ ＞ 割引率Ｂの関係を有する。
【０１９５】
一方、ステップＳ４２３において、利用状況Ｂでないと判定された場合、利用状況Ｃとなるので、処理は、ステップＳ４２５に進む。ステップＳ４２５において、決済処理部１４７は、下記の式（３）により決済額を求める。
【０１９６】
決済額＝駐車料金      ・・・（３）
【０１９７】
なお、式（３）においては、駐車料金に対して、割引率が乗算されないため、この場合、駐車料金が割り引かれないこととなる。
【０１９８】
ステップＳ４２２，Ｓ４２４，Ｓ４２５のいずれかの処理により、駐車料金の決済額が決定されると、処理は、ステップＳ４２６に進む。ステップＳ４２６において、決済処理部１４７は、決定された決済額に応じた決済処理を行う。
【０１９９】
具体的には、決済処理部１４７は、携帯端末装置１１と近接通信することで、電子マネーの残高から、駐車料金の決済額を引き落とすことで、決済処理を行う。すなわち、電子クーポンが利用された場合の駐車料金の割引率が最も大きく、電子クーポンは未使用であるが駐車場提携店３を利用した場合の割引率が次に大きく、駐車場提携店３を利用しなかった場合には割引は行われないこととなる。
【０２００】
決済処理が完了すると、処理は、図２５のフローチャートに戻り、ステップＳ４０５以降の処理が行われる。
【０２０１】
ステップＳ４０６において、電子クーポン処理部１４５は、駐車場サーバ１３にアクセスし、登録されていた電子クーポンの削除を要求する（ステップＳ４０７）。
【０２０２】
このように、駐車場端末装置１２においては、駐車料金決済処理が行われ、決定された電子クーポンの利用状況に基づいて、取得された駐車料金の決済額が決定されて、決済が行われる。
【０２０３】
次に、図２８のフローチャートを参照して、提携店サーバ１４により行われる駐車料金決済処理について説明する。
【０２０４】
駐車場端末装置１２からアクセスされると（ステップＳ４３１の「Yes」）、電子クーポン利用状況管理部１８３は、駐車場端末装置１２からの問い合わせに応じて、電子クーポン利用状況データベース１４Ｂから、使用履歴を取得する（ステップＳ４３２）。すなわち、電子クーポン利用状況データベース１４Ｂには、端末識別情報ごとに使用履歴が記録されているので、問い合わせをしてきた駐車場端末装置１２にかざされた携帯端末装置１１の端末識別情報により、使用履歴が特定される。
【０２０５】
ステップＳ４３３において、電子クーポン利用状況管理部１８３は、取得された使用履歴を、駐車場端末装置１２に通知する。
【０２０６】
換言すれば、駐車場端末装置１２側では、電子クーポン利用状況管理部１８３により通知される使用履歴に基づいた利用状況が決定され、その利用状況に基づいた駐車料金の決済額が決定されるため、電子クーポン利用状況管理部１８３は、電子クーポンの利用状況に応じて、駐車料金の決済額を決定させているともいえる。
【０２０７】
このように、提携店サーバ１４においては、駐車料金決済処理が行われ、駐車場端末装置１２にかざされた携帯端末装置１１の使用履歴が、駐車場端末装置１２に通知される。
【０２０８】
次に、図２９のフローチャートを参照して、駐車場サーバ１３により行われる駐車料金決済処理について説明する。
【０２０９】
駐車場端末装置１２からアクセスされると（ステップＳ４４１の「Yes」）、ステップＳ４４２において、料金決定部１６４は、駐車場端末装置１２からの問い合わせに応じて、駐車場利用状況データベース１３Ａを参照して、駐車料金を決定する。すなわち、駐車場利用状況データベース１３Ａには、端末識別情報ごとに入庫時刻が記録されているので、問い合わせをしてきた駐車場端末装置１２にかざされた携帯端末装置１１の端末識別情報により、入庫時刻が特定され、駐車料金が決定される。
【０２１０】
ステップＳ４４３において、料金決定部１６４は、決定された駐車料金を、駐車場端末装置１２に通知する。
【０２１１】
駐車料金の通知が完了した後に、駐車場端末装置１２からアクセスされると（ステップＳ４４４の「Yes」）、処理は、ステップＳ４４５に進む。
【０２１２】
ステップＳ４４５において、電子クーポン処理部１６３は、駐車場端末装置１２からの要求に応じて、駐車場利用状況データベース１３Ａに登録されていた電子クーポンを削除する。
【０２１３】
このように、駐車場サーバ１３においては、駐車料金決済処理が行われ、駐車場端末装置１２にかざされた携帯端末装置１１の駐車料金が、駐車場端末装置１２に通知される。
【０２１４】
以上のように、駐車料金決済処理では、携帯端末装置１１が駐車場端末装置１２にかざされると、提携店サーバ１４からの使用履歴と、駐車場サーバ１３からの駐車料金とが駐車場端末装置１２に通知される。そして、駐車場端末装置１２では、通知された使用履歴から決定される電子マネーの利用状況に応じて、通知された駐車料金の決済額が決定される。
【０２１５】
駐車料金決済システム１においては、携帯端末装置１１の端末識別情報が取得され、端末識別情報により識別される携帯端末装置１１ごとに駐車料金が管理され、携帯端末装置１１に対する電子クーポンが発行され、その電子クーポンの利用状況に応じて、駐車料金が決定される。これにより、例えば、電子クーポンの利用状況に応じて、駐車料金の割引率を決定することができるため、電子クーポンを有効に活用して、電子クーポンを利用したサービスの質の向上を図ることができる。
【０２１６】
また、利用者側からすると、駐車券や領収書をもらう必要がなく、携帯端末装置１１を所持するだけで、駐車料金の割引を受けることができるため、駐車料金の支払いの利便性を向上させることができる。
【０２１７】
＜２．第２の実施の形態＞
［駐車料金決済システムの他の構成］
図３０は、本技術を適用した駐車料金決済システムの他の構成を示す図である。
【０２１８】
図１においては、駐車場サーバ１３と、提携店サーバ１４は、それぞれ独立した装置であるとして説明したが、それらの装置は、図３０に示すように、１つの駐車場・提携店サーバ３１１であると捉えることもできる。
【０２１９】
図３０の駐車料金決済システム３０１は、携帯端末装置１１、駐車場端末装置１２、提携店端末装置１５、及び駐車場・提携店サーバ３１１から構成される。
【０２２０】
駐車場・提携店サーバ３１１は、例えば、図４の構成を有し、そのCPU７１によって、図７の駐車場サーバ制御プログラム１５１と、図８の提携店サーバ制御プログラム１７１の両方が実行される。また、駐車場・提携店サーバ３１１は、駐車場利用状況データベース１３Ａ、電子クーポンデータベース１４Ａ、及び電子クーポン利用状況データベース１４Ｂと接続される。
【０２２１】
駐車場・提携店サーバ３１１により行われる電子クーポンを利用した駐車料金決済処理は、駐車場サーバ１３と、提携店サーバ１４により行われる電子クーポンを利用した駐車料金決済処理と同様であるため、その説明は省略する。
【０２２２】
以上のように、駐車料金決済システム３０１においては、駐車場・提携店サーバ３１１により、電子クーポンを利用した駐車料金決済処理を提供することで、包括的なサービスを提供することができる。
【０２２３】
＜３．変形例＞
前述した説明では、電子クーポン使用履歴と、店舗使用履歴に応じて、駐車料金の割引率を決定する例を説明したが、割引率の決定方法は、他の方法を採用してもよい。例えば、駐車場２の利用率に応じて、割引率を変化させることができる。この駐車場２の利用率は、駐車場利用状況データベース１３Ａに登録されている端末識別情報により求められる。また、携帯端末装置１１側で、駐車場２の利用回数をカウントして保持しておくことで、駐車場２の利用時に、駐車場端末装置１２にかざされたときに、その利用回数が取得されるようにしてもよい。
【０２２４】
例えば、駐車場提携店３を利用しない場合であっても、駐車場２の利用率の高い利用者に対しては、駐車料金の割引の対象とすることができる。具体的には、例えば、１ヶ月で５回以上の利用があった場合には、駐車料金の割引を行うといったことが可能となる。また、例えば、駐車場２が複数回利用されたとき、数回に一度だけ、駐車料金の割引の対象とすることもできる。
【０２２５】
また、例えば、１日のうちに、対象となる駐車場提携店３で、２回以上決済が行われた場合、駐車料金の割引率を上げるようにすることができる。決済の回数は、電子クーポン利用状況データベース１４Ｂに記録されている店舗使用履歴から得られる。また、携帯端末装置１１側で、決済の回数を保持していてもよい。また、電子クーポンの利用状況に応じて割引率を変化させることもできる。例えば、電子クーポンの利用状況を、電子クーポン利用状況データベース１４Ｂ又は携帯端末装置１１に記録しておくことで、１ヶ月で５回以上、電子クーポンが利用されると、駐車料金が割引かれるといったことが可能となる。
【０２２６】
さらに、例えば、駐車場２と、駐車場提携店３の位置情報を用いて、駐車場２から離れた駐車場提携店３で決済が行われた場合、駐車場２から近い駐車場提携店３で決済が行われたときよりも、駐車料金の割引率を高くするようにしてもよい。また、前述した説明では、タッチ回数の最も少ない駐車場提携店３の電子クーポンを、携帯端末装置１１に対して発行すると説明したが、それに限らず、例えば、所定の規則に従って、タッチ回数の多い駐車場提携店３の電子クーポンを発行してもよいし、管理者が任意の電子クーポンを発行させるようにしてもよい。
【０２２７】
前述した説明では、駐車料金決済システム１，３０１について説明したが、本技術は、駐車料金以外の、時間に応じて発生した料金の決済を行うシステムに適用することができる。
【０２２８】
なお、前述した説明では、一連の処理をソフトウェアにより実行する例を説明したが、ハードウェアにより実行させることもできる。そして、一連の処理をソフトウェアにより実行させる場合には、そのソフトウェアを構成するプログラムが、専用のハードウェアに組み込まれているコンピュータ、又は、各種のプログラムをインストールすることで、各種の機能を実行することが可能な、例えば汎用のパーソナルコンピュータ等に、記録媒体からインストールされる。
【０２２９】
この記録媒体は、コンピュータとは別に、ユーザにプログラムを提供するために配布される、プログラムが記録されている磁気ディスク（フレキシブルディスクを含む）、光ディスク（CD-ROM(Compact Disc Read Only Memory)，DVD（Digital Versatile Disc））を含む）、光磁気ディスク（MD（Mini Disc）（登録商標）を含む）、若しくは半導体メモリ等構成されるだけでなく、コンピュータにあらかじめ組み込まれた状態でユーザに提供される、プログラムが記録されている記録部で構成される。
【０２３０】
また、前述した一連の処理を実行させるプログラムは、必要に応じてルータ、モデム等のインターフェースを介して、ローカルエリアネットワーク、インターネット、デジタル衛星放送といった、有線又は無線の通信媒体を介してコンピュータにインストールされるようにしてもよい。
【０２３１】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０２３２】
また、プログラムは、１のコンピュータにより処理されるものであってもよいし、複数のコンピュータによって分散処理されるものであってもよい。さらに、プログラムは、遠方のコンピュータに転送されて実行されるものであってもよい。
【０２３３】
なお、本明細書において、システムとは、複数の装置により構成される装置全体を表すものである。
【０２３４】
さらに、本技術の実施の形態は、前述した実施の形態に限定されるものではなく、本技術の要旨を逸脱しない範囲において種々の変更が可能である。
【符号の説明】
【０２３５】
１  駐車料金決済システム，  １１  携帯端末装置，  １２  駐車場端末装置，  １３  駐車場サーバ，  １３Ａ  駐車場利用状況データベース，  １４  提携店サーバ，  １４Ａ  電子クーポンデータベース，  １４Ｂ  電子クーポン利用状況データベース，  １５  提携店端末装置，  ３１  CPU，  ３４  ICチップ，  ５１  CPU，  ５４  リーダライタ，  ７１  CPU，  １５１  駐車場サーバ制御プログラム，  １６１  端末識別情報・入庫時刻取得部，  １６２  駐車場利用状況情報管理部，  １７１  提携店サーバ制御プログラム，  １８２  電子クーポン発行部，  １８３  電子クーポン利用状況管理部，  ３０１  駐車料金決済システム，  ３１１  駐車場・提携店サーバ
【図１】
0005745310.tif 000002
【図２】
0005745310.tif 000003
【図３】
0005745310.tif 000004
【図４】
0005745310.tif 000005
【図５】
0005745310.tif 000006
【図６】
0005745310.tif 000007
【図７】
0005745310.tif 000008
【図８】
0005745310.tif 000009
【図９】
0005745310.tif 000010
【図１０】
0005745310.tif 000011
【図１１】
0005745310.tif 000012
【図１２】
0005745310.tif 000013
【図１３】
0005745310.tif 000014
【図１４】
0005745310.tif 000015
【図１５】
0005745310.tif 000016
【図１６】
0005745310.tif 000017
【図１７】
0005745310.tif 000018
【図１８】
0005745310.tif 000019
【図１９】
0005745310.tif 000020
【図２０】
0005745310.tif 000021
【図２１】
0005745310.tif 000022
【図２２】
0005745310.tif 000023
【図２３】
0005745310.tif 000024
【図２４】
0005745310.tif 000025
【図２５】
0005745310.tif 000026
【図２６】
0005745310.tif 000027
【図２７】
0005745310.tif 000028
【図２８】
0005745310.tif 000029
【図２９】
0005745310.tif 000030
【図３０】
0005745310.tif 000031